【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
コンピュータに、
第１コンテンツが配置された層の後面の層に配置された第２コンテンツに含まれる動画像を再生させるための操作を検出する検出手順と、
前記動画像を再生させるための操作が検出された場合は、前記第１コンテンツが配置された層と前記第２コンテンツが配置された層とを入替え、前記第１コンテンツに対する操作を受付け可能な状態で前記第１コンテンツと前記第２コンテンツとを表示する表示手順と
を実行させることを特徴とする情報表示プログラム。
【請求項２】
前記表示手順は、前記動画像を再生させるための操作が検出されるまでは、前記第２コンテンツを前記第１コンテンツが配置された層よりも後面の層に配置した状態で表示することを特徴とする請求項１に記載の情報表示プログラム。
【請求項３】
前記検出手順は、前記動画像を再生させるための操作として、前記第１コンテンツを所定量よりも多くスクロールさせる操作を検出することを特徴とする請求項１または２に記載の情報表示プログラム。
【請求項４】
前記検出手順は、前記動画像を再生させるための操作として、前記動画像のうち所定の領域が表示されるまで、前記第１コンテンツを画面下方向にスクロールさせる操作を検出することを特徴とする請求項１〜３のうちいずれか１つに記載の情報表示プログラム。
【請求項５】
前記表示手順は、前記動画像を再生させるための操作が検出されるまでは、前記第２コンテンツを、透過領域を含む第１コンテンツが配置された層よりも後面の層に配置した状態で表示する
ことを特徴とする請求項１〜４のうちいずれか１つに記載の情報表示プログラム。
【請求項６】
前記表示手順は、前記第２コンテンツとして、上端が画面の上端と接する位置に第１動画像が配置されたコンテンツを表示することを特徴とする請求項１〜５のうちいずれか１つに記載の情報表示プログラム。
【請求項７】
前記表示手順は、透過領域が上端に配置された前記第１コンテンツを表示することを特徴とする請求項６に記載の情報表示プログラム。
【請求項８】
前記表示手順は、前記第１コンテンツと前記第２コンテンツとの表示を開始する際の初期表示として、画面の上端から所定の距離だけ下方向の位置を前記第１コンテンツの上端の位置とすることを特徴とする請求項７に記載の情報表示プログラム。
【請求項９】
前記検出手順は、前記第１動画像を再生させるための操作として、当該第１動画像のうち全ての領域が前記透過領域を介して表示されるまで前記第１コンテンツを画面下方向にスクロールさせる操作を検出することを特徴とする請求項７または８に記載の情報表示プログラム。
【請求項１０】
前記表示手順は、前記第２コンテンツとして、下端が画面の下端と接する位置に第２動画像が配置されたコンテンツを表示し、
前記検出手順は、前記動画像を再生させるための操作として、前記動画像のうち所定の領域が表示されるまで、前記第１コンテンツを画面上方向にスクロールさせる操作を検出し、
前記表示手順は、前記動画像を再生させるための操作が検出された場合は、前記動画像の下端が画面の下端と接する位置に配置された前記第２コンテンツを、前記第１コンテンツが配置された層よりも前面の層に配置した状態で表示する
ことを特徴とする請求項１〜９のうちいずれか１つに記載の情報表示プログラム。
【請求項１１】
前記検出手順は、前記動画像の再生を停止させるための操作をさらに検出し、
前記表示手順は、前記第１コンテンツが配置された層よりも前面の層に前記第２コンテンツを配置した状態で、前記動画像の再生を停止させるための操作が検出された場合は、前記第２コンテンツを前記第１コンテンツが配置された層よりも後面の層に配置する
ことを特徴とする請求項１〜１０のうちいずれか１つに記載の情報表示プログラム。
【請求項１２】
前記検出手順は、前記動画像の再生を停止させるための操作として、前記第１コンテンツのうち所定の領域が表示されるまで、前記第１コンテンツを画面下方向にスクロールさせる操作を検出することを特徴とする請求項１１に記載の情報表示プログラム。
【請求項１３】
前記表示手順は、前記動画像の再生を停止させるための操作が検出された場合は、前記動画像の上端が画面の上端と接する位置に配置された前記第２コンテンツを、透過領域が上端に配置された第１コンテンツが配置された層よりも後面の層に配置する
ことを特徴とする請求項１２に記載の情報表示プログラム。
【請求項１４】
前記表示手順は、前記動画像の再生を停止させるための操作が検出された場合は、前記動画像の下端が画面の下端と接する位置に配置された前記第２コンテンツを、前記第１コンテンツが配置された層よりも後面の層に配置する
ことを特徴とする請求項１２に記載の情報表示プログラム。
【請求項１５】
前記表示手順は、前記動画像の再生を停止させるための操作が検出されるまでは、前記第２コンテンツを、前記第１コンテンツが配置された層よりも前面の層に配置し続けることを特徴とする請求項１１〜１４のうちいずれか１つに記載の情報表示プログラム。
【請求項１６】
前記表示手順は、前記動画像を再生させるための操作が検出された場合は、当該動画像の再生を開始することを特徴とする請求項１〜１５のうちいずれか１つに記載の情報表示プログラム。
【請求項１７】
前記表示手順は、前記第２コンテンツを前記第１コンテンツが配置された層よりも前面の層に配置した場合は、前記第２コンテンツに含まれる動画像の再生を開始させることを特徴とする請求項１〜１５のうちいずれか１つに記載の情報表示プログラム。
【請求項１８】
前記表示手順は、前記動画像の再生が終了した場合は、前記第２コンテンツを前記第１コンテンツが配置された層よりも後面の層に配置することを特徴とする請求項１〜１７のうちいずれか１つに記載の情報表示プログラム。
【請求項１９】
前記コンピュータに、
前記第２コンテンツに含まれる動画像が再生された際に、前記第２コンテンツの閲覧実績を管理する管理装置に対して、前記第２コンテンツが閲覧された旨を出力する出力手順
をさらに実行させることを特徴とする請求項１〜１８のうちいずれか１つに記載の情報表示プログラム。
【請求項２０】
第１コンテンツが配置された層の後面の層に配置された第２コンテンツに含まれる動画像を再生させるための操作を検出する検出部と、
前記動画像を再生させるための操作が検出された場合は、前記第１コンテンツが配置された層と前記第２コンテンツが配置された層とを入替え、前記第１コンテンツに対する操作を受付け可能な状態で前記第１コンテンツと前記第２コンテンツとを表示する表示部と
を有することを特徴とする情報表示装置。
【請求項２１】
情報表示装置が実行する情報表示方法であって、
第１コンテンツが配置された層の後面の層に配置された第２コンテンツに含まれる動画像を再生させるための操作を検出する検出工程と、
前記動画像を再生させるための操作が検出された場合は、前記第１コンテンツが配置された層と前記第２コンテンツが配置された層とを入替え、前記第１コンテンツに対する操作を受付け可能な状態で前記第１コンテンツと前記第２コンテンツとを表示する表示工程と
を含むことを特徴とする情報表示方法。
【請求項２２】
第１コンテンツと動画像を含む第２コンテンツとを表示する端末装置に制御情報を配信する配信部を備え、
前記制御情報は、
第１コンテンツが配置された層の後面の層に配置された第２コンテンツに含まれる動画像を再生させるための操作を検出する検出手順と、
前記動画像を再生させるための操作が検出された場合は、前記第１コンテンツが配置された層と前記第２コンテンツが配置された層とを入替え、前記第１コンテンツに対する操作を受付け可能な状態で前記第１コンテンツと前記第２コンテンツとを表示する表示手順と
を前記端末装置に実行させることを特徴とする配信装置。
【手続補正２】
【補正対象書類名】明細書
【補正対象項目名】発明の名称
【補正方法】変更
【補正の内容】
【発明の名称】情報表示プログラム、情報表示装置、情報表示方法、および配信装置
【手続補正３】
【補正対象書類名】明細書
【補正対象項目名】０００１
【補正方法】変更
【補正の内容】
【０００１】
本発明は、情報表示プログラム、情報表示装置、情報表示方法、および配信装置に関する。
【手続補正４】
【補正対象書類名】明細書
【補正対象項目名】０００９
【補正方法】変更
【補正の内容】
【０００９】
以下に、本願にかかる情報表示プログラム、情報表示装置、情報表示方法、および配信装置を実施するための形態（以下、「実施形態」と記載する。）について図面を参照しつつ詳細に説明する。なお、この実施形態により本願にかかる情報表示プログラム、情報表示装置、情報表示方法、および配信装置が限定されるものではない。また、以下の各実施形態において同一の部位には同一の符号を付し、重複する説明は省略される。